(57)【特許請求の範囲】
【請求項１】
画像表示範囲の境界を示すウインドウを表示画面に表示するウインドウ表示手段と、
原画像を表す画像データを記憶する記憶手段と、
原画像中の前記ウインドウ内に表示する範囲を指定するための指定手段と、
前記記憶手段に記憶された画像データに基づいて、前記指定手段によって指定された範囲に対応する部分画像を前記ウインドウ内に表示する画像表示手段と、
前記ウインドウの表示位置、前記部分画像の前記原画像上での位置及びサイズに基づき、前記原画像のうち前記指定された範囲が前記ウインドウ内に位置するときの前記原画像の位置及びサイズを演算し、前記ウインドウ外に位置する原画像の輪郭を目視可能に表示する輪郭表示手段と、
を含む画像表示装置。
【請求項２】
前記ウィンドウ表示手段が、前記ウィンドウを表示するための台紙を前記表示画面に表示し、当該表示した台紙上に前記ウィンドウを編集可能に表示する、
ことを特徴とする請求項１記載の画像表示装置。
【請求項３】
前記ウィンドウは、前記指定手段によって指定された範囲に対応する画像を表示するためのウィンドウ、及び文字データを表示するためのウィンドウを含む、
ことを特徴とする請求項２記載の画像表示装置。
【請求項４】
前記輪郭表示手段が、前記原画像のサイズ、前記指定手段によって指定された範囲の前記原画像上における位置、及び前記ウィンドウ内における画像の表示倍率に基づいて、前記原画像の仮想的な位置及びサイズを判断して前記ウィンドウ外に位置する前記原画像の輪郭を表示する、
ことを特徴とする請求項１乃至請求項３の何れか１項記載の画像表示装置。
【請求項５】
前記指定手段が、表示された前記原画像の輪郭の前記ウィンドウに対する位置を指定することにより、前記原画像中の前記ウィンドウ内に表示する範囲を指定する、
ことを特徴とする請求項１乃至請求項４の何れか１項記載の画像表示装置。
【発明の詳細な説明】
【０００１】
【産業上の利用分野】
本発明は画像表示装置に係り、特に、指定された原画像中の所定部分を表示枠内に表示する画像表示装置に関する。
【０００２】
【従来の技術】
従来より、データとして入力された画像等に対し、オペレータからの指示に従って画像の合成、切り貼り、拡大、縮小等の各種の編集処理を行って、オペレータが所望する任意の画像を作成、プリントすることを可能とした画像処理システムが知られている。この種の画像処理システムはディプレイ等の表示装置を含んで構成されており、作成途中の画像をオペレータが容易に把握できるように、作成途中の画像をディスプレイの表示画面の作成画像表示領域内に常時表示したり、オペレータが各種の指示を容易に行なえるように、入力された画像データの画像をディスプレイの表示画面の前記作成画像表示領域外の作業領域に一時的に表示するように構成されている。
【０００３】
上記のような画像処理システムにおいて、入力された画像データが表す画像（以下、原画像という）の一部分を切り出して予め指定された作成画像表示領域のウインドウ内に配置する所謂切り貼り処理は、入力された画像データが表す原画像を表示画面の前記作業領域に表示し、前記切り出す部分の範囲をオペレータに指定させ、オペレータによって指定された部分の画像を前記指定されたウインドウ内に表示すると共に、原画像の表示を消去することにより完了する。
【０００４】
【発明が解決しようとする課題】
ところで、上述の切り貼り処理が完了した後に、原画像から切り出された部分の範囲が適切でないとオペレータが判断した等の場合、オペレータは再び切り貼り処理を行って切り出す部分の範囲を指定し直す必要がある。しかしながら、このときには原画像の表示は消去されているので、切り出す部分を原画像上のどの範囲に設定すればよいかが判断しにくく、適切な範囲が切り出される迄オペレータが何度も切り貼り処理を行って、切り出す部分の範囲を指定し直す等の煩雑な作業を行う必要があった。
【０００５】
これを解決するためには、原画像を表示画面上の作業領域等に継続して表示することも考えられるが、作業領域は各種の編集処理で使用される表示領域であり、かつディスプレイの表示画面は限られているので、一旦切り貼り処理が完了した後に原画像を継続して表示することは好ましくない。更に原画像を縮小した画像を継続して表示することも考えられるが、表示画面内の表示が煩雑になるという問題も生ずる。
【０００６】
本発明は上記事実を考慮して成されたもので、原画像から切り出してウインドウ内に表示すべき範囲の指定を容易に行うことができる画像表示装置を得ることが目的である。
【０００７】
【課題を解決するための手段】
上記目的を達成するために本発明に係る画像表示装置は、画像表示範囲の境界を示すウインドウを表示画面に表示するウインドウ表示手段と、原画像を表す画像データを記憶する記憶手段と、原画像中の前記ウインドウ内に表示する範囲を指定するための指定手段と、前記記憶手段に記憶された画像データに基づいて、前記指定手段によって指定された範囲に対応する部分画像を前記ウインドウ内に表示する画像表示手段と、前記ウインドウの表示位置、前記部分画像の前記原画像上での位置及びサイズに基づき、前記原画像のうち前記指定された範囲が前記ウインドウ内に位置するときの前記原画像の位置及びサイズを演算し、前記ウインドウ外に位置する原画像の輪郭を目視可能に表示する輪郭表示手段と、を含んで構成されている。
【０００８】
【作用】
本発明では、ウインドウ表示手段により、画像表示範囲の境界を示すウインドウが表示画面に表示される。また、原画像中の前記ウインドウ内に表示する範囲を指定するための指定手段が設けられており、画像表示手段は記憶手段に記憶された画像データに基づいて、指定手段によって指定された範囲に対応する部分画像をウインドウ内に表示する。また輪郭表示手段は、ウインドウの表示位置、部分画像の原画像上での位置及びサイズに基づき、原画像のうち指定された範囲がウインドウ内に位置するときの原画像の位置及びサイズを演算し、ウインドウ外に位置する原画像の輪郭を目視可能に表示する。
【０００９】
これにより、原画像の輪郭とウインドウとの相対位置、すなわち現在ウインドウ内に表示されている画像の原画像中における位置をオペレータが容易に認識することができる。従って、オペレータが指示手段を介して表示する範囲を一旦指示することによりウインドウ内に表示された画像が、原画像中の所望の部分の画像でなかった場合に、指定手段を介して指定すべき範囲の原画像上における位置を容易に判断できるので、オペレータは、原画像から切り出して表示すべき範囲の指定を容易に行うことができる。また本発明では原画像の輪郭を表示するので、原画像そのものをウインドウ外に縮小表示したりする場合と比較して表示画面内の表示が簡潔明瞭となる。
なお、上記の画像表示装置においては、前記ウィンドウ表示手段が、前記ウィンドウを表示するための台紙を前記表示画面に表示し、当該表示した台紙上に前記ウィンドウを編集可能に表示するようにしてもよい。この場合、前記ウィンドウが、前記指定手段によって指定された範囲に対応する画像を表示するためのウィンドウ、及び文字データを表示するためのウィンドウを含むようにしてもよい。
また、上記の画像表示装置においては、前記輪郭表示手段が、前記原画像のサイズ、前記指定手段によって指定された範囲の前記原画像上における位置、及び前記ウィンドウ内における画像の表示倍率に基づいて、前記原画像の仮想的な位置及びサイズを判断して前記ウィンドウ外に位置する前記原画像の輪郭を表示するようにしてもよい。
また、上記の画像表示装置においては、前記指定手段が、表示された前記原画像の輪郭の前記ウィンドウに対する位置を指定することにより、前記原画像中の前記ウィンドウ内に表示する範囲を指定するようにしてもよい。
【００１０】
【実施例】
以下図面を参照してＤＴＰ（デスク・トップ・パブリッシング）を行う画像表示装置に本発明を適用した実施例を詳細に説明する。
【００１１】
図１に示すように、この画像表示装置は、装置の制御、演算、各種入出力機器の制御等を行うパソコン（パーソナルコンピュータ）１０とこのパソコン１０に接続された各種入出力機器とを備えている。パソコン１０は、装置の制御、演算等を行うＣＰＵ１０Ａ、作業エリアを備えた記憶手段としてのＲＡＭ１０Ｂ、入出力機器インタフェース（Ｉ／Ｏポート）１０Ｃ、表示する画像データ（ビット・マップ・データ）を一時記憶するＶＲＡＭ１２、プログラム等を記憶した図示しないＲＯＭ、及びこれらを接続するデータバスやコントロールバス等のバスを含んで構成されている。
【００１２】
入出力機器インタフェース１０Ｃには、画像入力機器として、写真等の画像を取込むためのフルカラースキャナー１６、被写体を撮影して撮影画像を取込むためのデジタルスチルカメラ１８、写真の画像データを記録したＣＤから画像データを取込むためのフォトＣＤ装置２０、及び画像データの外部記憶媒体としての光磁気ディスク２２が接続されている。この光磁気ディスク２２には、編集した画像を記録したり記録されている画像を読出して取込むことができる。
【００１３】
またパソコン１０には、ＣＲＴ等で構成されＶＲＡＭ１２に一時記憶された画像データの画像を表示する表示装置としてのモニタ１４が接続されている。このモニタ１４の画面の上端部には、メニュー項目を表示するメニューバーの表示エリアが設けられている（図４参照）。また、入出力機器インタフェース１０Ｃには、モニタ１４に表示されたメニュー項目や画面位置等を指示（または選択）する入力指示器としてのマウス２４と、パソコン１０への文字データの入力等を行うためのキーボード２８とが接続されている。さらに、入出力機器インタフェース１０Ｃには、画像処理によって編集した原稿等をプリントするプリンタ２６が接続されている。なお、マウス２４は本発明の指示手段に対応している。
【００１４】
本実施例の画像表示装置では、画像データ及び文字データの両方を含む全てのデータをドキュメントデータとして扱っているので、まず、ドキュメントデータの詳細構造を図２を参照して説明する。ドキュメントデータは、台紙１０２、図形枠１０８、文章枠１２６の各々を示すデータで構成されている。文章枠１２６は文字データを表示するためのエリアで、この文章枠１２６には文字の字体、大きさ、色等を決定する装飾情報である属性を付与することができる。
【００１５】
図形枠１０８は画像を表示するエリアで、取込んだ画像を、図形枠１０８内に表示するための覗き窓（ウインドウ）として作用する。この図形枠には、枠内に表示された画像の倍率、枠内の画像の背景の透過率等を決定する属性を付与することができる。
【００１６】
また、取込んだ画像データ自体も、上記と同じドキュメントデータとして扱うことができる。すなわち、一つの図形枠（第１の図形枠）内に表示された画像（第１の画像）の中に第２の図形枠をネスト（入れ子）構造で挿入し、この第２の図形枠内に第２の画像を表示することが可能である。さらに、第２の画像の中に第３の画像枠をネストして第３の画像を表示し、第３の画像の中に第４の画像枠をネストして第４の画像を表示する、というように図形枠をネストすることが可能である。
【００１７】
ネスト構造の複数の図形枠には上下関係があり、下位（入れ子される側）の図形枠の画像と上位（入れ子側）の図形枠の画像とが重なる場合には、下位の画像が上位の画像で遮られて表示される。この図形枠の上下関係は変更可能である。
【００１８】
以上のドキュメントデータ、すなわち、台紙１０２、図形枠１０８、文章枠１２６を表すデータ、画像データ、及び文章データは、全体が一つのファイルとして、ＲＡＭ１０Ｂに記憶され、異なる外部ファイル（例えば、予め画像データが複数記録されたライブラリーファイル等）の参照は行われない。
【００１９】
このように本実施例では、台紙１０２、図形データ、及び図形枠１０８が各々層（レイア）構造になっている。すなわち、台紙１０２の上方に、画像が位置し、画像の上にウインドとして作用する図形枠１０８が位置するような積層構造となっている。これにより、画像編集中には、取込んだ画像データを保持し、図形枠の位置をドラッグによってずらすことにより、今まで図形枠内に表示されていなかった画像や文字を表示させることができる。
【００２０】
なお、台紙１０２は常に全ての図形枠１０８及び文章枠１２６の下位に位置し、この台紙１０２には直接描画することが可能である。
【００２１】
次に、画像編集の流れを簡単に説明する。図４に示すように、新規ドキュメントを作成する図示しないドキュメント作成メニューを選択すると、台紙１０２が画面１００上に表示される。次に、マウス２４によって画面上端部のメニューバー１０５の図形編集欄１０６を選択すると、図形編集が開始される。
【００２２】
図５に示すように、台紙１０２上における基準点１０７、１０９にカーソルを位置させてマウス２４をクリックすると、それらの基準点１０７、１０９を対角線の両端とする矩形の図形枠１０８が、台紙１０２上に表示される。次に、フルカラースキャナー１６、デジタルスチルカメラ１８の何れかの入力メニュー（図示省略）を選択すると、作業用台紙１１０が表示され、選択されたいずれかの画像入力機器で画像読取が開始され、読み取った原画像１１１（図５では、コピー機１１２の画像を含む原画像）が、作業用台紙１１０内に表示される。
【００２３】
この原画像１１１上には、画像をカットして取込み図形枠１０８内に表示するための部分画像の範囲を示す取込枠１１５の表示が可能である。すなわち、図形枠１０８内に表示する部分画像の対角線の両端である基準点１１４、１１６にカーソルを位置させてマウス２４をクリックすると、これらの基準点１１４、１１６を対角線の両端とする取込枠１１５が表示される。なお、取込範囲は基準点１１４、１１６の位置を変更することにより変更可能である。この取込範囲の指示終了（例えば、マウス２４のクリックによる確定指示）と共に、取込枠１１５内の画像が図形枠１０８内に表示される。この処理は本発明の画像表示手段に相当する。
【００２４】
また、本実施例では一つの台紙１０２上に図形枠や文章枠を各々複数個生成して、各々の枠について画像編集することができる。図３（Ａ）に示すように１つの画像中に他の画像を合成したい場合には、画面上の一つの図形枠５０の内部に他の図形枠５２を生成する。これによって、一つの画像の中に他の画像が合成されて表示される。この時、図形枠５２内の画像のうち背景を除いた椅子の画像５４だけの画像を図形枠５０内の画像に合成したい場合には、図形枠５２内の椅子の画像５４以外の画像を背景として、その背景の透過率が１００％であるという属性を付与すれば、図３（Ｂ）に示すように図形枠５０内には、図形枠５０内の画像上に椅子５４のみの画像が合成されて、表示される。
【００２５】
次に、文字編集について説明する。図６に示すように、マウス２４によって画面上端部のメニューバー１０５の文字編集欄１２４を選択する。これにより、文字編集が開始される。図形枠１２２による画像編集の時と同様のマウス操作で文章枠１２６を指定すると、文字入力ウインドウ１２８が表示される。文字をキーボードから入力すると、文字入力ウインドウ１２８上に文字列１３０が表示され、入力完了の指示（例えば、マウスのクリック）をすると、文字列１３２が文章枠１２６に表示される（図７参照）。ここで修正が無い時、編集確定の指示（例えば、マウスのクリック）をすると、文字入力ウインドウ１２８は消去され、文章枠１２６の編集が確定される（図８）。
【００２６】
次に、一旦原画像から取り込んで図形枠内に表示している画像に対し、原画像からの取込み位置を変更したい場合に行われる画像取込み位置変更処理について、図１３のフローチャートを参照して説明する。なお、この処理は、図９に示すように、台紙１０２の画面左側に予め表示されているコマンドメニュー１１８中に複数表示されているアイコン（図示省略）のうち、取込み位置変更処理の実行を指示するコマンドに対応するアイコンにカーソル１０４が対応された後に、マウス２４のボタンがクリックされることによって前記アイコンが選択されると実行される。
【００２７】
ステップ２００では処理対象としての図形枠の指示が済んでいるか否か判定する。処理対象としての図形枠が予め指示されている場合には、ステップ２００の判定が肯定されてステップ２０６へ移行する。一方、ステップ２００の判定が否定された場合には、ステップ２０２で現在台紙１０２上に表示している何れかの図形枠内のポイントが指示されるまで待機する。なお、図９では説明を簡単にするために、台紙１０２上に単一の図形枠１２２のみが表示されている状態を示す。ステップ２０２の判定が肯定されると、ステップ２０４で指示されたポイントに対応する図形枠を処理対象の図形枠として記憶してステップ２０６へ移行する。
【００２８】
ステップ２０６では上記のように処理対象として指示された図形枠１２２の枠線が指示（クリック）されたか否か判定し、枠線が指示されるまで待機する。ステップ２０６の判定が肯定されると、ステップ２０８では、台紙１０２上における図形枠１２２の座標、図形枠１２２内に表示している画像の原画像上における位置及びサイズ（図形枠１２２のサイズ及び図形枠１２２内の画像の表示倍率に応じて定まる）に基づいて、台紙１０２を基準とする原画像の位置及びサイズを演算する。
【００２９】
次のステップ２１０では、上記で演算した原画像の位置及びサイズに基づいて原画像の輪郭を表す枠線１２４を表示する。なお、この輪郭を表す枠線１２４の表示については、前記枠線１２４のどの部分が台紙１０２の内側でどの部分が外側かを判断し、台紙１０２の内側の部分は破線で、外側の部分は実線で表示する。次のステップ２１２では図形枠１２２と同一サイズの取込み枠１２０（図１１参照）を図形枠１２２に重ねて表示する。この状態では取込み枠１２０と図形枠１２２とが重なっているので、図１０では取込み枠１２０は図示されていない。なお、この処理は本発明の輪郭表示手段に相当する。
【００３０】
ステップ２１４ではマウスのボタンがリリースされたか否か判定する。ステップ２１４の判定が否定された場合には、ステップ２１６でマウスの指示ポイント（カーソル１０４の位置）が移動されたか否か判定する。ステップ２１６の判定も否定された場合にはステップ２１４へ戻り、ステップ２１４又は２１６の判定が肯定されるまで待機する。マウスの指示ポイントが移動されてステップ２１６の判定が肯定されると、ステップ２１８ではマウスの指示ポイントの移動に応じて取込み枠の表示位置を移動し、ステップ２２０では、輪郭が枠線１２４として表示されている原画像のうち、表示位置を移動された取込み枠１２０によって囲まれた範囲に対応する画像を原画像の画像データから取込み、該画像を図形枠１２２内に表示してステップ２１４へ戻る。なお、このステップ２１８、２２０の処理も本発明の画像表示手段に相当する。
【００３１】
一例として、オペレータが図形枠１２２に表示されている画像に対し原画像上で若干左下側の画像を表示したい時は、図１０に示すように図形枠１２２の枠線の任意のポイントをクリックし、図１１に示すように左下方向へドラッグすれば、これに伴って取込み枠１２０（図１１では破線で示す）が左下方向へ移動し、図形枠１２２には移動した取込み枠１２０の位置に対応する画像、すなわち今まで表示されていた画像に対して若干左下側の画像が表示される。すなわち、取込み枠１２０を仮想的なウインドウとみなし、そのウインドウから画像データを覗いたに相当する画像が図形枠１２２内に表示されることになる。
【００３２】
上記により、図形枠１２２内に表示される画像は、移動された取込み枠１２０によって囲まれた範囲に対応する画像にリアルタイムで変更されることになる。オペレータは、前記原画像の輪郭を表す枠線１２４及び取込み枠１２０の表示位置に基づいて、図形枠１２２内に表示されている画像の原画像上における位置を容易に判断できると共に、マウスのボタンをオンした状態でカーソル１０４を移動させながら図形枠１２２内に表示される画像を参照することにより、図形枠１２２内に所望の画像を表示させるためにカーソル１０４をどの方向にどの程度移動させればよいかを容易に判断することができる。従って、原画像から切り出して図形枠１２２内に表示すべき範囲の指定を容易に行うことができる。
【００３３】
オペレータは、図形枠１２２に所望の画像が表示されている状態でマウスのボタンをリリースする。これにより編集確定が指示されたと判断してステップ２１４の判定が肯定され、図１２に示すように、ステップ２２で取込み枠１２２及び原画像の輪郭の表示を消去し、ステップ２２４では図形枠１２２内に表示している画像の原画像上における座標を記憶して処理を終了する。
【００３４】
以上のようにして新規ドキュメントの作成が終了すると、マウス２４によって画面上端部のメニューバー１０５から印刷欄１３４を選択し、台紙１０２上の確定された文字や図形の情報をプリンタ２６へ出力する。プリンタ２６は、入力されたデータに基づいて印刷する。これによって、台紙上の編集画面のプリントが得られる。
【００３５】
なお、上記ではウインドウとしての図形枠１２２を固定的に表示し、図形枠１２２と同サイズの取込み枠１２０をマウス２４によるドラッグに応じて移動させることによって図形枠１２２内に表示する画像の範囲を変更する場合を例に説明したが、本発明はこれに限定されるものではなく、取込み枠１２４を表示する代わりに図形枠１２２の表示位置をマウス２４によるドラッグに応じて移動させるようにしてもよい。また、マウス２４によるドラッグに応じて原画像の輪郭を表す枠線１２４の表示位置を移動させるようにしてもよい。更に、図形枠１２２の表示位置を移動させる際には、編集の確定が指示されたときの図形枠１２２の表示位置に図形枠１２２を継続して表示しても、編集の確定が指示されたときに図形枠１２２内に表示している画像を変更せずに、該画像及び図形枠１２２を図形枠１２２の元の表示位置に表示するようにしてもよい。
【００３６】
また、上記では指示手段としてマウス２４を適用した場合を例に説明したが、本発明はこれに限定されるものではなく、ライトペン、ディジタイザ等の各種のポインティングデバイスを用いることができる。また、指示手段としてキーボード２８を用いることも可能である。
【００３７】
以上、本発明の実施例について説明したが、上記実施例は特許請求の範囲に記載した技術的項以外に、次に記載したような技術的事項の実施態様を含むものである。
【００３８】
（１）  輪郭表示手段は、指定手段によって一旦指定された表示範囲が指定手段によって再び指定される際にのみ原画像の輪郭を表示することを特徴とする請求項１記載の画像表示装置。
【００３９】
上記により、オペレータが指示手段を介して一旦指定した所定部分の位置を、オペレータが指示手段を介して再び指定することにより修正する場合にのみ原画像の輪郭が表示されるので、不必要に原画像の輪郭が表示されることがなく、表示画面内の表示が更に簡潔明瞭となる、という効果が得られる。
【００４０】
（２）  輪郭表示手段は、原画像のサイズ、指定手段によって指定された範囲の原画像上における位置、及びウインドウ内における画像の表示倍率に基づいて、原画像の仮想的な位置及びサイズを判断してウインドウ外に位置する原画像の輪郭を表示することを特徴とする請求項１記載の画像表示装置。
【００４１】
本発明において、ウインドウ内における画像の表示倍率は固定であってもよいが、前記表示倍率を変更可能である場合には、上記のように、画像のウインドウ内における表示倍率を考慮して原画像の仮想的な位置及びサイズを判断することにより、原画像の輪郭を正確に表示できる、という効果が得られる。
【００４２】
（３）  輪郭表示手段が原画像の輪郭を表示しているときに、指定手段は輪郭によって表される原画像の位置を基準としてウインドウ内に表示する範囲を表す取込み枠を表示し、画像表示手段は、前記取込み枠が表す範囲に対応する画像をウインドウ内に表示すると共に、前記取込み枠の移動に応じてウインドウ内に表示する画像を変更する請求項１記載の画像表示装置。
【００４３】
上記によれば、取込み枠の移動に応じて、ウインドウ内に表示される画像が、所謂リアルタイムで変更されるので、原画像から切り出してウインドウ内に表示すべき範囲の指定をオペレータが更に容易に行うことができる、という効果が得られる。
【００４４】
【発明の効果】
以上説明したように本発明は、記憶手段に記憶された画像データに基づいて、指定手段によって指定された範囲に対応する原画像中の部分画像をウインドウ内に表示すると共に、ウインドウの表示位置、部分画像の原画像上での位置及びサイズに基づき、原画像のうち指定された範囲がウインドウ内に位置するときの原画像の位置及びサイズを演算し、ウインドウ外に位置する原画像の輪郭を輪郭表示手段によって目視可能に表示するようにしたので、原画像から切り出してウインドウ内に表示すべき範囲の指定を容易に行うことができる、という優れた効果が得られる。
【図面の簡単な説明】
【図１】本実施例の画像表示装置を示すブロック図である。
【図２】台紙上に表示されるドキュメントの詳細構造を示す模式図である。
【図３】（Ａ）、（Ｂ）は一つの台紙上に図形枠複数個生成して各々の枠について画像編集する状態を示す平面図である。
【図４】台紙を画面に表示した状態を示す平面図である。
【図５】台紙上における基準点をマウスで指示したときの画面を示す平面図である。
【図６】文字編集を行なうための文字入力ウインドウが表示された状態を示す平面図である。
【図７】文字列が文章枠に表示された状態を示す平面図である。
【図８】文章枠の編集が確定された状態を示す平面図である。
【図９】図形枠の編集として図形枠内の画像の取込み位置の変更が指示された状態を示す平面図である。
【図１０】原画像の輪郭が表示された状態を示す平面図である。
【図１１】取込み位置を変更するために取込み枠の表示位置が移動されている状態を示す平面図である。
【図１２】編集確定の指示により図形枠の編集が確定された状態を示す平面図である。
【図１３】本実施例の作用として、画像取込み位置変更処理の内容を説明するフローチャートである。
【符号の説明】
１０    パソコン
２４    マウス
１２０    取込み枠
１２２    図形枠
１２４    枠線
【図１】
0003607913.tif 000002
【図２】
0003607913.tif 000003
【図３】
0003607913.tif 000004
【図４】
0003607913.tif 000005
【図５】
0003607913.tif 000006
【図６】
0003607913.tif 000007
【図７】
0003607913.tif 000008
【図８】
0003607913.tif 000009
【図９】
0003607913.tif 000010
【図１０】
0003607913.tif 000011
【図１１】
0003607913.tif 000012
【図１２】
0003607913.tif 000013
【図１３】
0003607913.tif 000014